(57)【要約】【課題】逆止弁が溶着工程時に変形等する製品不良が生じることがなく、使用時に弁体の開閉が確実に行われる注出栓を提供する。【解決手段】袋状容器の開口部に溶着される逆止弁付き注出栓Ａにおいて、該注出栓Ａを、注出筒１と注出筒１の下方に形成した溶着部２とを有するものとし、注出栓１の内部に、溶着部２の内方側に保持される弁座筒３と、弁座筒３の先端部３２に冠着されると共に弁体４０を有する弁筒４とからなる逆止弁Ｃを有するものとし、弁筒４は、その外周面４２ｃと注出筒１の内周面１３ａとの間に間隙部Ｅを形成するように保持されるものとする。【選択図】図１
2015196498.tif 000002
【特許請求の範囲】
【請求項１】
袋状容器の開口部に溶着される逆止弁付き注出栓であって、
該注出栓は、注出筒と該注出筒の下方に形成した溶着部とを有し、
該注出栓の内部には、該溶着部の内方側に保持される弁座筒と、該弁座筒の先端部に冠着されると共に弁体を有する弁筒とからなる逆止弁を有し、
該弁筒は、その外周面と該注出筒の内周面との間に間隙部を形成するように保持されることを特徴とする逆止弁付き注出栓。
【請求項２】
前記弁筒は、前記弁座筒と当接可能に設けられた筒部を有しており、
前記弁体は、該筒部の先端部にヒンジを介して結合されていることを特徴とする請求項１に記載の逆止弁付き注出栓。
【請求項３】
前記注出筒は基端側の大径筒部と先端側の小径筒部とを有し、前記弁筒は該注出筒の該大径筒部の内方に位置していることを特徴とする請求項１又は２に記載の逆止弁付き注出栓。
【請求項４】
前記注出筒は、前記大径筒部と前記小径筒部とを連結する段差部の内面から垂下するリング部を有し、
該リング部は、前記弁筒の筒部天面と当接可能に設けられることを特徴とする請求項３に記載の逆止弁付き注出栓。
【請求項５】
前記弁座筒の外周壁は、テーパー状であることを特徴とする請求項１乃至４何れかに記載の逆止弁付き注出栓。
【請求項６】
前記弁座筒の上面には、前記弁筒の弁体との接触面において、粗し加工が施されていることを特徴とする請求項１乃至５の何れかに記載の逆止弁付き注出栓。
【請求項７】
前記弁筒は、シリコーンゴムで形成されることを特徴とする請求項１乃至請求項６の何れかに記載の逆止弁付き注出栓。
【発明の詳細な説明】
【技術分野】
【０００１】
本発明は、袋状容器に溶着して用いられる注出栓に関し、より詳細には、注出栓の内部に逆止弁を備えた逆止弁付き注出栓に関する。
【背景技術】
【０００２】
近年、液体等を収容した袋状容器に取付けられる注出栓において、内容物の注出時に容器内へ空気が流入することを防止し、内容物の鮮度を長期間に渡って維持することが可能な高機能包装材の開発が種々行われている。そして、従来の逆止弁付き注出栓として、注出筒に、弁筒と弁体が同一の素材で一体に形成された逆止弁が嵌着され、前記注出筒の下方に溶着部が形成された注出栓が知られている（例えば、特許文献１を参照）。
【先行技術文献】
【特許文献】
【０００３】
【特許文献１】特開２００６−６９５９４号公報
【発明の概要】
【発明が解決しようとする課題】
【０００４】
通常、この様な注出栓は、逆止弁が注出筒に嵌着された状態で袋状容器の開口端部に溶着させて取り付けられるが、この際、注出筒の内部に嵌着された逆止弁が加熱されて、開口部分に溶着や変形が生じたりし、使用時に弁体が上手く機能せず、内容液の注出不良、注出後における内容液の液戻り不良、外気の逆流等が起き易いという問題があった。又、この弁体と弁座筒との溶着の問題は、弁体と弁座筒が同一の素材によって一体に成形されることによって、より顕著に現れる。
【０００５】
そこで、本発明は、逆止弁が溶着工程時に変形等する製品不良が生じることがなく、使用時に弁体の開閉が確実に行われる注出栓を提供することを目的とする。
【課題を解決するための手段】
【０００６】
本発明は、袋状容器の開口部に溶着される逆止弁付き注出栓であって、該注出栓は、注出筒と該注出筒の下方に形成した溶着部とを有し、該注出栓の内部には、該溶着部の内方側に保持される弁座筒と、該弁座筒の上部に冠着されると共に弁体を有する弁筒とからなる逆止弁を有し、該弁筒は、その外周面と該注出筒の内周面との間に間隙部を形成するように保持されることを特徴とする逆止弁付き注出栓である。
【０００７】
本発明は、前記弁筒を前記弁座筒と当接可能に設けられた筒部を有するものとし、前記弁体は該筒部の先端部にヒンジを介して結合されているものとすることができる。又、本発明は、前記注出筒を基端側の大径筒部と先端側の小径筒部とを有するものとし、前記弁筒を該注出筒の該大径筒部の内方に位置しているものとすることができる。
【０００８】
又、本発明は、前記注出筒を前記大径筒部と前記小径筒部とを連結する段差部の内面から垂下するリング部を有するものとし、該リング部を前記弁筒の筒部天面と当接可能に設けられるものとすることができる。又、本発明は、前記弁座筒の外周壁をテーパー状とすることができる。又、本発明は、前記弁座筒の上面の前記弁筒の弁体との接触面において、粗し加工が施すことも可能である。又、本発明における前記弁筒は、シリコーンゴムで形成することが可能である。
【発明の効果】
【０００９】
本発明は、逆止弁を構成する弁座筒と弁体を有する弁筒とを別体に形成し、弁筒の外周壁と注出筒の内周面との間に間隙部を形成するように保持される様にしたので、逆止弁が溶着工程時に加熱されて変形等する製品不良が生じることがなく、使用時に弁体の開閉が確実に行うことができる。
【図面の簡単な説明】
【００１０】
【図１】本発明の実施形態を示す断面図であり、（Ａ）は開封前、（Ｂ）は開封後の様子を示す図である。
【図２】本発明の実施形態における弁体を示す平面図である。
【発明を実施するための形態】
【００１１】
本発明の実施形態について図１及び図２に基づき説明する。注出栓Ａは栓本体Ｂ及び逆止弁Ｃを備える。又、注出栓Ａには外蓋Ｄが装着することができる様になっている。本実施形態において、外蓋Ｄは蓋体５０とタンパーエビデント（いたずら防止）のための封止リング５１を備えており、蓋体５０は栓本体Ｂの注出口１０をシールするためのインナーリング５０ｂ及びリブ５０ｃを有する。
【００１２】
栓本体Ｂは注出筒１及びその下方に形成された溶着部２を有する。注出筒１は略円筒形であり、先端に注出口１０を有する小径筒部１１、小径筒部１１の基端と連続する段差部１２及び段差部１２を介して小径筒部１１と連続しその基端で溶着部２と連続する大径筒部１３を備える。小筒径部１１の外周面には外蓋Ｄの蓋部５０の内周面に形成された螺条５０ａと螺合する螺条１１ａが形成される。尚、小径筒部１１の先端に小径筒部１１より小径の液注ぎ部を設け、液注ぎ部の先端を注出口１０としてもよい。(この場合、注出口１０に向かって内容液の吐出量が段階的に絞られていくようになる)。
【００１３】
又、段差部１２の内周縁部には、その内周面１２ａから垂下する円環状のリング部１２ｂが形成されている。リング部１２ｂは逆止弁Ｃの弁筒４の筒部天面４２ｂに当接ないし僅かな隙間を介して設け、後述する間隙部Ｅからの空気の入り込みを防止するためのものである。溶着部２は略舟形状であり、容器本体（図示せず）の開口部と溶着され、注出栓Ａを該容器本体に取り付けるために形成されている。
【００１４】
逆止弁Ｃは弁座筒３と弁座筒３と別体に形成された弁筒４とを有する。弁座筒３は、例えば、ポリプロピレン等の硬質な樹脂で形成される略円筒形の部材であり、基部３０、基部３０から立設され、基部３０よりも小径に形成された外周壁３１、外周壁３１よりも小径に形成される先端部３２を有する。外周壁３１と先端部３２は、その外周面が段状になる様に連続しており、外周壁３１の上方に弁筒４の冠着代が形成されている。又、外周壁３１は、逆止弁Ｃの栓本体Ｂへの取り付けを容易にすると共に間隙部Ｅを形成するために先細りのテーパー状に形成されている。
【００１５】
先端部３２は、その内周縁によって連通口３３を形成する筒体である。先端部３２は、注出筒１の大径筒部１３との間に間隙部Ｅが形成可能な径で形成されており、その先端部３２の天面には弁座３２ａが形成される。弁座３２ａは、後述の様に、弁筒４の弁体４０との当接面であり、その表面は、平滑面でも良いが、好ましくは、ブラスト処理又はシボ加工等の粗し加工が施される。
【００１６】
弁筒４は、弁体４０と、筒部４２とを有している。弁筒４は、弁座筒３とは異なる材料により形成される。例えば、弁座筒３をポリエチレン、ポリプロピレン等の合成樹脂で形成し、弁筒４を、エラストマー、特に、シリコーンゴムで形成することが好ましい。弁体４０は、筒部４２の先端部４２ａにヒンジ部４１を介して結合されると共に略円盤状に形成されている。これにより、弁体４０はヒンジ部４１を軸として回動自在になっている。
【００１７】
そして、弁筒４は、筒部４２が、弁座筒３の先端部３２に冠着されることで弁座筒３に取り付けられる。本実施形態においては、上記のとおり弁筒４をシリコーンゴムで形成することにより、弁座筒３との高い密着性を得ることができる。また、弁体４０を、筒部先端部４２ａにヒンジ結合することで、弁筒４を弁座筒３に冠着した際の筒部４２の変形が弁体４０に与える影響を最小限としている。
【００１８】
又、本実施形態において、弁体４０と筒部４２との間には略Ｃ字状の間隙４３が形成されている。間隙４３は、弁体４０が閉じた際に、弁体４０と筒部４２の先端部４２ａとがラップすることを防止するために形成される。尚、ヒンジ部４１の幅や厚さ等は適宜選択することは可能であるが、本実施形態では、後述する様に内容液をサックバックさせるために、内容液の注出後に弁体４０がゆっくりと元の位置へと戻ることのできる程度の可撓性を有する幅、厚さに形成されている。
【００１９】
逆止弁Ｃは、弁筒４の筒部４２が弁座筒３の先端部３２に冠着された状態で、基部３０が栓本体Ｂの溶着部２の内周面２ａを圧接する様に、栓本体Ｂの大径筒部１３及び溶着部２の内部に取り付けられる。この際、弁体４０と溶着部２の内周面２ａとが上下方向および半径方向に離間する様に、弁座筒３の外周壁３１及び弁筒４の筒部外周面４２ｃは大径筒部１３及び溶着部２の内周面１３ａ，２ａとが当接しない状態で取り付けられる。
【００２０】
この際、従来技術の様に弁座筒３と弁体４とを一体成型した場合は、弁体４に使用されるシリコーンゴム等の弾性材料は摩擦抵抗が大きいため、逆止弁Ｃを栓本体Ｂに取り付けることが困難となる。対して、本実施形態では、弁筒４の外周面と注出筒の内周面との間に間隙を形成したため、弁筒４の筒壁外周面４２ｃが栓本体Ｂと当接しないため、逆止弁Ｃを栓本体Ｂに容易に取り付けることができる様になっている。
【００２１】
そして、弁座筒３の外周壁外周面３１ａ及び弁筒４の筒壁外周面４２ｃと大径筒部１３及び溶着部２の内周面１３ａ，２ａとの間には間隙部Ｅが形成されている。間隙部Ｅが形成されることによって、溶着部２を容器本体に溶着する際に間隙部Ｅ内に形成される空気層が壁となり、その結果、熱が弁体４０に伝導し難くなる。従って、弁体４０が弁座筒３に溶着することを防止することができる。
【００２２】
尚、本実施形態においては、間隙部Ｅを弁座筒３の外周壁外周面３１ａ及び弁筒４の筒壁外周面４２ｃと大径筒部１３及び溶着部２の内周面１３ａ，２ａとの間に設けているが、間隙部Ｅは、少なくとも弁筒４の筒壁外周面４２ｃと大径筒部１３の内周面１３ａとの間に設けられていればよい。
【００２３】
弁体４の弁体４０は、常時はその外周端部４０ａが先端部３２の弁座３２ａに当接し、連通口３３を閉塞する。そして、容器を傾けて、容器本体内の内容液を注出の際には、その内容液の押圧によって、弁体４０はヒンジ部４１を軸として上方に回転し、連通口３３の閉塞を解除する。
【００２４】
その後、容器を元の位置に戻すと、再度、弁体４０は、その外周端部４０ａが弁座３２ａに当接し、連通口３３を閉塞する。この時、開いていた弁筒４の弁体４０がゆっくりと下方に回転し元の位置へと戻る様になっているため、栓本体Ｂの小径筒部１１に残留した内容液は、再度容器本体内に戻る（サックバックする）と共にその表面張力によって弁体４０と弁座３２ａとを密閉する。この際、弁座３２ａに粗し加工が施されている場合、弁体４０と弁座３２ａとの間に働く内容液の表面張力が調整され、よりサックバックされ易くなる。
【００２５】
又、リング部１２ｂと弁体４の上面との間に僅かな隙間がある場合にも、内容液は、サックバックする際に該隙間にも内容液が入り込み、その表面張力によって該隙間を閉塞し、外気の容器内への逆流を防止することができる。
【００２６】
以上の様に、本願発明は逆止弁Ｃの弁筒４と弁座筒３を別体且つ別素材で形成し、且つ、少なくとも弁筒４と栓本体Ｂの注出筒１との間に間隙部Ｅを設けたので、逆止弁Ｃが溶着工程時に変形等する製品不良が生じることがなく、使用時に弁体４の開閉が確実に行われる注出栓Ａを提供することができる。又、内溶液の注出後に注出筒１の小径筒部１１に残留した内溶液は容器本体内にサックバックする様になっているため、注出口１０に液溜りが発生することを防止できる。
【００２７】
本発明を上記実施形態によって説明したが、本発明は上記実施形態に限定されるものではなく、発明の要旨を変更しない範囲で適宜変更可能である。例えば、弁座３２ａ、つまり、弁座筒３と弁体４０との接触面に液溜部（例えば凹状溝）を設け、サックバックしてきた内容液の一部を該液溜部に溜めておくことによって、弁体４０と弁座３２ａとの間に表面張力を働かせる様にしてもよい。これによって、外気の容器内への逆流をより防止することが可能となる。
【符号の説明】
【００２８】
Ａ      注出栓            Ｂ      栓本体            １      注出筒
１０    注出口            １１    小径筒部          １１ａ  螺条
１２    段差部            １２ａ  内周面            １２ｂ  リング部
１３    大径筒部          １３ａ  内周面            ２      溶着部
２ａ    内周面            Ｃ      逆止弁            ３      弁座筒
３０    基部              ３１    外周壁            ３１ａ  外周面
３２    先端部            ３２ａ  弁座              ３３    連通口
４      弁筒              ４０    弁体              ４０ａ  外周端部
４１    ヒンジ部          ４２    筒部              ４２ａ  先端部
４２ｂ  天面              ４２ｃ  外周面            ４３    間隙
Ｄ      外蓋              ５０    蓋体              ５０ａ  螺条
５０ｂ  インナーリング    ５０ｃ  リブ              ５１    封止リング
Ｅ      間隙部
【図１】
2015196498.tif 000003
【図２】
2015196498.tif 000004